(57)【要約】  アクションカメラ（１）に用いられ、ヒートパイプ（１３１）と、第１の放熱板（１３２）と、を含み、ヒートパイプ（１３１）の蒸発端（１３１１）および冷却端（１３１２）は、いずれも第１の放熱板（１３２）と伝熱接触し、第１の放熱板（１３２）は、メインチップ（１１）との伝熱接触に用いられ、メインチップ（１１）の熱をケーシング（１９）から放出するように、アクションカメラ（１）のケーシング（１９）との伝熱接触に用いられる放熱アセンブリ（１３）。このように、メインチップ（１１）の熱をヒートパイプ（１３１）および第１の放熱板（１３２）に伝達し、第１の放熱板（１３２）と伝熱接触したケーシング（１９）を経て放出することができ、これにより、メインチップ（１１）に良好な放熱効果をもたせることができ、放熱アセンブリ（１３）の構造はコンパクトであり、占めるスペースが小さく、アクションカメラ（１）の体積に対する影響は小さく、アクションカメラ（１）の携帯性に有利である。
2021525008.tif 000002
【特許請求の範囲】
【請求項１】
アクションカメラにおける、前記アクションカメラのメインチップを含む発熱素子の放熱に用いられる放熱アセンブリであって、
ヒートパイプと、第１の放熱板と、を備え、
前記ヒートパイプの蒸発端および冷却端は、いずれも前記第１の放熱板と伝熱接触し、前記ヒートパイプの冷却端は、前記ヒートパイプの蒸発端よりも前記メインチップから離れており、
前記第１の放熱板は、前記メインチップとの伝熱接触に用いられ、前記メインチップの熱を前記アクションカメラのケーシングから放出するよう、前記アクションカメラのケーシングとの伝熱接触に用いられることを特徴とする放熱アセンブリ。
【請求項２】
前記第１の放熱板は、対向して設けられた第１の面および第２の面を含み、前記第１の面の一部が前記メインチップを覆い、前記ヒートパイプは前記第２の面に設けられることを特徴とする請求項１に記載の放熱アセンブリ。
【請求項３】
前記ヒートパイプにおける前記蒸発端に近い部分は、前記メインチップの長さ延伸方向に対して傾斜して設けられることを特徴とする請求項２に記載の放熱アセンブリ。
【請求項４】
前記第２の面における前記メインチップに対応する領域に溝が形成され、前記ヒートパイプにおける前記蒸発端に近い部分が前記溝の中に設けられることを特徴とする請求項３に記載の放熱アセンブリ。
【請求項５】
前記放熱アセンブリは、金属カバーをさらに含み、前記金属カバーの少なくとも一部は、前記アクションカメラのケーシングの下に設けられ、前記第１の放熱板と伝熱接続するか、または、前記金属カバーが前記アクションカメラのケーシングの一部であることを特徴とする請求項１に記載の放熱アセンブリ。
【請求項６】
前記放熱アセンブリは、第１の熱伝導マットをさらに含み、前記第１の熱伝導マットは、前記第１の放熱板と伝熱接触し、前記第１の熱伝導マットは、前記金属カバーと伝熱接触することを特徴とする請求項５に記載の放熱アセンブリ。
【請求項７】
前記放熱アセンブリは、レンズカバーをさらに含み、前記レンズカバーの少なくとも一部は金属材料製であり、前記金属カバー上には、前記レンズカバーを取り付けるためのレンズカバー取付部が設けられていることを特徴とする請求項５に記載の放熱アセンブリ。
【請求項８】
前記第１の放熱板は、前記レンズカバー取付部の少なくとも一部で周方向に沿って分布していることを特徴とする請求項７に記載の放熱アセンブリ。
【請求項９】
前記レンズカバー取付部は、前記金属カバー上の前記第１の放熱板とは反対の突起部であり、前記突起部にはねじ山が設けられ、前記レンズカバーは、前記ねじ山によって前記金属カバーに接続されることを特徴とする請求項７に記載の放熱アセンブリ。
【請求項１０】
前記レンズカバーは、
内壁が径方向に沿って内向きに延伸して支持部が形成された金属放熱リングと、
前記金属放熱リングの内壁に設けられ、前記支持部に当接する熱伝導リングと、を含み、前記熱伝導リングの内壁は、前記アクションカメラのレンズと接触し係合するために用いられることを特徴とする請求項７に記載の放熱アセンブリ。
【請求項１１】
前記金属放熱リングがベリリウム銅合金放熱リングであることを特徴とする請求項１０に記載の放熱アセンブリ。
【請求項１２】
前記支持部が前記金属放熱リングの内壁の端部に位置することを特徴とする請求項１０に記載の放熱アセンブリ。
【請求項１３】
前記熱伝導リングの一端は前記支持部に当接し、前記熱伝導リングの他端は前記金属放熱リングの端部と面一であることを特徴とする請求項１０に記載の放熱アセンブリ。
【請求項１４】
前記レンズカバーは、前記熱伝導リングの内壁に設けられ、その内壁が前記カメラのレンズとの接触係合に用いられる弾性リングをさらに含むことを特徴とする請求項１０に記載の放熱アセンブリ。
【請求項１５】
前記弾性リングがシリカゲルリングであることを特徴とする請求項１４に記載の放熱アセンブリ。
【請求項１６】
前記金属カバー上の前記第１の放熱板とは反対側に放熱器が設けられていることを特徴とする請求項７に記載の放熱アセンブリ。
【請求項１７】
前記第１の放熱板と前記冷却端とが接続する部分は、前記レンズカバー取付部、前記放熱器の少なくともひとつの近くに設けられていることを特徴とする請求項１６に記載の放熱アセンブリ。
【請求項１８】
前記第１の放熱板は、前記冷却端に接続する部分から前記放熱器の長さ方向に延伸し、前記第１の放熱板の延伸部分は、前記金属カバー上の前記放熱器に対応する領域と伝熱接触することを特徴とする請求項１７に記載の放熱アセンブリ。
【請求項１９】
前記放熱器が熱放射型放熱器であることを特徴とする請求項１６に記載の放熱アセンブリ。
【請求項２０】
前記放熱器は、少なくとも一つの放熱フィンを含むことを特徴とする請求項１９に記載の放熱アセンブリ。
【請求項２１】
前記放熱器は、一方向に順次設けられた複数の前記放熱フィンを含むことを特徴とする請求項２０に記載の放熱アセンブリ。
【請求項２２】
前記発熱素子は、前記アクションカメラの結像センサをさらに含み、
前記放熱アセンブリは、前記第１の放熱板とずらして設けられた第２の放熱板をさらに含み、前記第２の放熱板は、前記結像センサとの伝熱接触に用いられ、前記アクションカメラのケーシングとの伝熱接触に用いられ、前記結像センサの熱を前記アクションカメラのケーシングから放出することを特徴とする請求項１に記載の放熱アセンブリ。
【請求項２３】
前記第２の放熱板と前記アクションカメラのケーシングの一部は、一体成形された一体部材であることを特徴とする請求項２２に記載の放熱アセンブリ。
【請求項２４】
前記第２の放熱板および第１の放熱板は、それぞれ前記メインチップの対向する両側に位置することを特徴とする請求項２２に記載の放熱アセンブリ。
【請求項２５】
前記放熱アセンブリは、第２の熱伝導マットをさらに含み、前記第２の放熱板は、前記第２の熱伝導マットを介して前記結像センサと伝熱接触することを特徴とする請求項２２に記載の放熱アセンブリ。
【請求項２６】
前記放熱アセンブリは、前記アクションカメラのバッテリーホルダー口を覆う金属バッテリーカバーをさらに含み、前記金属バッテリーカバーは前記アクションカメラのバッテリーに接続され、前記アクションカメラのケーシングの一部を形成し、前記バッテリーの熱を前記アクションカメラのケーシングから放出するため、前記バッテリーの少なくとも一部の表面との伝熱接触に用いられることを特徴とする請求項１に記載の放熱アセンブリ。
【請求項２７】
前記バッテリーおよび金属バッテリーカバーは、一体成形された一体部材であることを特徴とする請求項２６に記載の放熱アセンブリ。
【請求項２８】
前記金属バッテリーカバーの外面にプラスチック部材が設けられていることを特徴とする請求項２７に記載の放熱アセンブリ。
【請求項２９】
内部にメインチップが設けられたケーシングと、
アクションカメラにおける、前記メインチップを含む発熱素子の放熱に用いられる放熱アセンブリと、を含み、
前記放熱アセンブリは、ヒートパイプと、第１の放熱板と、を含み、
前記ヒートパイプの蒸発端および冷却端は、いずれも前記第１の放熱板と伝熱接触し、前記ヒートパイプの冷却端は、前記ヒートパイプの蒸発端よりも前記メインチップから離れており、
前記第１の放熱板は、前記メインチップとの伝熱接触に用いられ、前記メインチップの熱を前記ケーシングから放出するよう、前記ケーシングとの伝熱接触に用いられることを特徴とするアクションカメラ。
【請求項３０】
前記第１の放熱板は、対向して設けられた第１の面および第２の面を含み、前記第１の面の一部が前記メインチップを覆い、前記ヒートパイプは前記第２の面に設けられることを特徴とする請求項２９に記載のアクションカメラ。
【請求項３１】
前記ヒートパイプにおける前記蒸発端に近い部分は、前記メインチップの長さ延伸方向に対して傾斜して設けられることを特徴とする請求項３０に記載のアクションカメラ。
【請求項３２】
前記第２の面における前記メインチップに対応する領域に溝が形成され、前記ヒートパイプにおける前記蒸発端に近い部分が前記溝の中に設けられることを特徴とする請求項３０に記載のアクションカメラ。
【請求項３３】
前記放熱アセンブリは、金属カバーをさらに含み、前記金属カバーの少なくとも一部は、前記アクションカメラのケーシングの下に設けられ、前記第１の放熱板と伝熱接続するか、または、前記金属カバーが前記アクションカメラのケーシングの一部であることを特徴とする請求項２９に記載のアクションカメラ。
【請求項３４】
前記放熱アセンブリは、第１の熱伝導マットをさらに含み、前記第１の熱伝導マットは、前記第１の放熱板と伝熱接触し、前記第１の熱伝導マットは、前記金属カバーと伝熱接触することを特徴とする請求項３３に記載のアクションカメラ。
【請求項３５】
前記放熱アセンブリは、レンズカバーをさらに含み、前記レンズカバーの少なくとも一部は金属材料製であり、前記金属カバー上には、前記レンズカバーを取り付けるためのレンズカバー取付部が設けられていることを特徴とする請求項３３に記載のアクションカメラ。
【請求項３６】
前記第１の放熱板は、前記レンズカバー取付部の少なくとも一部で周方向に沿って分布していることを特徴とする請求項３５に記載のアクションカメラ。
【請求項３７】
前記レンズカバー取付部は、前記金属カバー上の前記第１の放熱板とは反対の突起部であり、前記突起部にはねじ山が設けられ、前記レンズカバーは、前記ねじ山によって前記金属カバーに接続されることを特徴とする請求項３５に記載のアクションカメラ。
【請求項３８】
前記レンズカバーは、
内壁が径方向に沿って内向きに延伸して支持部が形成された金属放熱リングと、
前記金属放熱リングの内壁に設けられ、前記支持部に当接する熱伝導リングと、を含み、前記熱伝導リングの内壁は、前記カメラのレンズと接触し係合するために用いられることを特徴とする請求項３５に記載のアクションカメラ。
【請求項３９】
前記金属放熱リングがベリリウム銅合金放熱リングであることを特徴とする請求項３８に記載のアクションカメラ。
【請求項４０】
前記支持部が前記金属放熱リングの内壁の端部に位置することを特徴とする請求項３８に記載のアクションカメラ。
【請求項４１】
前記熱伝導リングの一端は前記支持部に当接し、前記熱伝導リングの他端は前記金属放熱リングの端部と面一であることを特徴とする請求項３８に記載のアクションカメラ。
【請求項４２】
前記レンズカバーは、前記熱伝導リングの内壁に設けられ、その内壁が前記カメラのレンズとの接触係合に用いられる弾性リングをさらに含むことを特徴とする請求項３８に記載のアクションカメラ。
【請求項４３】
前記弾性リングがシリカゲルリングであることを特徴とする請求項４２に記載のアクションカメラ。
【請求項４４】
前記ケーシングは、プラスチックフロントカバーを含み、前記プラスチックフロントカバーは、前記金属カバーの前記メインチップとは反対側に設けられ、前記プラスチックフロントカバー上には、レンズスルーホールが設けられており、前記レンズカバー取付部と前記レンズカバーは、前記レンズスルーホールにおいて接続されることを特徴とする請求項３５に記載のアクションカメラ。
【請求項４５】
前記金属カバー上の前記第１の放熱板とは反対側に放熱器が設けられていることを特徴とする請求項３５に記載のアクションカメラ。
【請求項４６】
前記第１の放熱板と前記冷却端とが接続する部分は、前記レンズカバー取付部、前記放熱器の少なくともひとつの近くに設けられていることを特徴とする請求項４５に記載のアクションカメラ。
【請求項４７】
前記第１の放熱板は、前記冷却端に接続する部分から前記放熱器の長さ方向に延伸し、前記第１の放熱板の延伸部分は、前記金属カバー上の前記放熱器に対応する領域と伝熱接触することを特徴とする請求項４６に記載のアクションカメラ。
【請求項４８】
前記放熱器が熱放射型放熱器であることを特徴とする請求項４５に記載のアクションカメラ。
【請求項４９】
前記放熱器は、少なくとも一つの放熱フィンを含むことを特徴とする請求項４８に記載のアクションカメラ。
【請求項５０】
前記放熱器は、一方向に順次設けられた複数の前記放熱フィンを含むことを特徴とする請求項４９に記載のアクションカメラ。
【請求項５１】
前記ケーシングは、プラスチックフロントカバーを含み、前記プラスチックフロントカバーは、前記金属カバーの前記メインチップとは反対側に設けられ、前記プラスチックフロントカバー上には、放熱ウィンドウが設けられており、前記放熱器の少なくとも一部が前記放熱ウィンドウの中に位置することを特徴とする請求項４５に記載のアクションカメラ。
【請求項５２】
前記発熱素子は、前記アクションカメラの結像センサをさらに含み、
前記放熱アセンブリは、前記第１の放熱板とずらして設けられた第２の放熱板をさらに含み、前記第２の放熱板は、前記アクションカメラ内の結像センサとの伝熱接触に用いられ、前記アクションカメラのケーシングとの伝熱接触に用いられ、前記結像センサの熱を前記アクションカメラのケーシングから放出することを特徴とする請求項２９に記載のアクションカメラ。
【請求項５３】
前記第２の放熱板と前記アクションカメラのケーシングの一部は、一体成形された一体部材であることを特徴とする請求項５２に記載のアクションカメラ。
【請求項５４】
前記第２の放熱板および第１の放熱板は、それぞれ前記メインチップの対向する両側に位置することを特徴とする請求項５２に記載のアクションカメラ。
【請求項５５】
前記放熱アセンブリは、第２の熱伝導マットをさらに含み、前記第２の放熱板は、第２の熱伝導マットを介して前記アクションカメラ内の結像センサと伝熱接触することを特徴とする請求項５２に記載のアクションカメラ。
【請求項５６】
前記放熱アセンブリは、前記アクションカメラのバッテリーホルダー口を覆う金属バッテリーカバーをさらに含み、前記金属バッテリーカバーは前記アクションカメラのバッテリーに接続され、前記アクションカメラのケーシングの一部を形成し、前記バッテリーの熱を前記アクションカメラのケーシングから放出するため、前記バッテリーの少なくとも一部の表面との伝熱接触に用いられることを特徴とする請求項２９に記載のアクションカメラ。
【請求項５７】
前記バッテリーおよび金属バッテリーカバーは、一体成形された一体部材であることを特徴とする請求項５６に記載のアクションカメラ。
【請求項５８】
前記金属バッテリーカバーの外面にプラスチック部材が設けられていることを特徴とする請求項５６に記載のアクションカメラ。
【請求項５９】
前記アクションカメラの側部には、前記バッテリーホルダー口が設けられており、前記バッテリーホルダー口は、前記アクションカメラの内部に窪んで、前記バッテリーを収容するためのバッテリーホルダーが形成されており、前記バッテリーを前記バッテリーホルダーに出し入れする方向は、前記アクションカメラのレンズの光軸方向に垂直であることを特徴とする請求項５６に記載のアクションカメラ。
【請求項６０】
前記アクションカメラの結像センサおよび前記メインチップは、前記バッテリーホルダーの同じ側に位置し、前記結像センサは、メインチップとずらして設けられることを特徴とする請求項５９に記載のアクションカメラ。
【発明の詳細な説明】
【技術分野】
【０００１】
本発明は、放熱アセンブリおよびアクションカメラに関し、撮像技術分野に属す。
【背景技術】
【０００２】
社会の発展と人々の生活水準の向上に伴い、エンターテイメント、旅行、エクストリームスポーツなどが現代人の暮らしに不可欠なテーマとなっており、通常のカメラでは、撮影時の手ぶれ補正機能があまりよくないため、運動状態での撮影効果が往々にして十分に理想的でなく、アクションカメラが登場することとなった。
【０００３】
アクションカメラは、メインチップと、メインチップと通信接続するレンズモジュールと、メインチップおよびレンズを収容する筐体とを含み、レンズモジュールは、撮影対象に基づき光学結像情報を形成してメインチップに送信するために用いられ、メインチップは、光学結像情報を処理して対応する画像を生成するために用いられ、メインチップおよびレンズを収容するための筐体は、通常、プラスチック材料製であり、アクションカメラが良好な耐衝撃・耐落下性能を有するようにし、アクションカメラをよりよく保護するようにする。
【発明の概要】
【発明が解決しようとする課題】
【０００４】
しかしながら、アクションカメラの携帯性に対しては一定の要求があり、アクションカメラの体積が大きすぎることは好ましくない。また、アクションカメラの動作中に、メインチップやレンズモジュールの中の結像センサなどが大量の熱を発生し、この部分の熱がメインボードやレンズモジュールの動作性能を低下させる。そのため、アクションカメラの体積をできる限り大きくせずに放熱効率を高めることが、業界で解決が求められる課題の一つとなっている。
【課題を解決するための手段】
【０００５】
先行技術に存在する上述したまたはその他の潜在的な課題を解決するため、本発明の実施例は、放熱アセンブリおよびアクションカメラを提供する。
【０００６】
本発明に係るいくつかの実施形態は、アクションカメラにおける、前記アクションカメラのメインチップを含む発熱素子の放熱に用いられる放熱アセンブリを提供する。前記放熱アセンブリは、ヒートパイプと、第１の放熱板と、を含む。前記ヒートパイプの蒸発端および冷却端は、いずれも前記第１の放熱板と伝熱接触し、前記ヒートパイプの冷却端は、前記ヒートパイプの蒸発端よりも前記メインチップから離れている。前記第１の放熱板は、前記メインチップとの伝熱接触に用いられ、前記メインチップの熱を前記アクションカメラのケーシングから放出するよう、前記アクションカメラのケーシングとの伝熱接触に用いられる。
【０００７】
本発明に係るいくつかの実施形態は、アクションカメラを提供する。内部にメインチップが設けられたケーシングと、前記アクションカメラにおける、前記メインチップを含む発熱素子の放熱に用いられる放熱アセンブリと、を含む。前記放熱アセンブリは、ヒートパイプと、第１の放熱板と、を含む。前記ヒートパイプの蒸発端および冷却端は、いずれも前記第１の放熱板と伝熱接触し、前記ヒートパイプの冷却端は、前記ヒートパイプの蒸発端よりも前記メインチップから離れている。前記第１の放熱板は、前記メインチップとの伝熱接触に用いられ、前記メインチップの熱を前記ケーシングから放出するよう、前記ケーシングとの伝熱接触に用いられる。
【０００８】
本発明の実施例の手法は、メインチップと伝熱接触するための第１の放熱板と、第１の放熱板と接触するヒートパイプとを設け、第１の放熱板をアクションカメラのケーシングとの伝熱接触に用いることにより、第１の放熱板とメインチップとが接触する部分の熱がヒートパイプを経てメインチップから離れた部分に迅速に伝達され、ケーシングを経て放出されるようにする。このように、メインチップの熱をヒートパイプおよび第１の放熱板に伝達し、第１の放熱板と伝熱接触したケーシングを経てアクションカメラの外に放出することができ、これにより、メインチップの熱が複数の放熱経路から放出され、メインチップに良好な放熱効果をもたせることができる。放熱アセンブリの構造はコンパクトであり、占めるスペースが小さく、アクションカメラの体積に対する影響は小さく、アクションカメラの携帯性に有利である。
【０００９】
本発明の付加的な態様の利点は、以下の記述において一部を記載し、一部は以下の記述から自明であるか、または本発明の実践から理解することができる。
【００１０】
図面の以下の詳細な記述を参照し、本発明の実施例の上述した、およびその他の目的、特徴および利点を、より容易に理解することができる。図面において、例示的および非限定的な方式で本発明の複数の実施例について説明する。
【図面の簡単な説明】
【００１１】
【図１】本実施例で提供するアクションカメラの分解模式図１である。
【図２】本実施例で提供するアクションカメラの分解模式図２である。
【図３】本実施例で提供するアクションカメラで、レンズをケーシングに装着したときの構造模式図である。
【図４】本実施例で提供するアクションカメラで、レンズおよびメインチップをケーシングに装着したときの構造模式図である。
【図５】本実施例で提供するアクションカメラで、レンズ、メインチップおよび第１の放熱板をケーシングに装着したときの構造模式図である。
【図６】本実施例で提供するアクションカメラで、レンズ、メインチップおよび第１の放熱板をケーシングに装着したときであって、金属カバー、プラスチックフロントカバーおよびレンズカバーを装着したときの構造模式図である。
【図７】本実施例で提供するアクションカメラで装着が完了したときの構造模式図である。
【図８】本実施例で提供するアクションカメラにおけるレンズカバーの構造模式図である。
【発明を実施するための形態】
【００１２】
以下、図面と合わせ、本発明の実施形態について詳細に説明する。抵触しない場合、下記の実施例および実施例における特徴は、互いに組み合わせてもよい。
【００１３】
図１から図７を参照し、本実施例は、メインチップ１１、レンズ１５、バッテリー１７などの部材を取り付けるための取付スペースが内部に形成されたケーシング１９を有するアクションカメラ１を提供する。
【００１４】
記述に便利なように、本実施例および下記の実施例は、アクションカメラ１のレンズが所在する側を前端とした場合、前端に対向する側を後端とすることができ、アクションカメラ１を水平に置いたとき、アクションカメラ１の地面に向いた側を下側（または底端）とした場合、下側に対向する端を上側（または頂端）とすることができ、残りの両側のうち、レンズ１５が所在する側を右側とし、他方の側を左側とすることができる。
【００１５】
図面の矢印Ｆが指す方向を前とし、矢印Ａが指す方向を上とし、矢印Ｒが指す方向を右とする。
【００１６】
ケーシング１９の部分はプラスチック材料製としてもよく、例えば、ケーシング１９の角の部分は、アクションカメラ１が良好な耐衝撃・耐落下性能を有するようにするため、アクションカメラ１をよりよく保護する。ケーシング１９の部分は金属材料製としてもよく、例えば、ケーシング１９上のアクションカメラ１における発熱素子に対応する部分を金属材料製とし（この部分の外部をプラスチック層で覆ってもよい）、発熱部材の熱が迅速に放出されるようにすることができる。
【００１７】
図１および図２に示すように、例示的に、ケーシング１９は、ミドルフレーム１９３を含んでもよく、ミドルフレーム１９３の後端にはバックカバー１９２が設けられ、バックカバー１９２は、ミドルフレーム１９３と一体に設けられるか、または着脱可能に接続されている。ミドルフレームの前端にはフロントカバーを設けてもよく、フロントカバーは、ミドルフレーム１９３と着脱可能に接続され、後続のアクションカメラ１内部部品の検査・修理に便利なようにする。バックカバー１９２またはミドルフレーム１９３の少なくとも一部は、アクションカメラ１に良好な耐衝撃・耐落下性能をもたせるため、プラスチック材料製としてもよい。当然ながら、バックカバー１９２またはミドルフレーム１９３の少なくとも一部は、アクションカメラ１に良好な放熱性能をもたせるため、金属材料製としてもよい。フロントカバーは、プラスチック材料製としてもよく、その場合、フロントカバーはプラスチックフロントカバーとなり、アクションカメラ１に良好な耐衝撃・耐落下性能、断熱性能をもたせる。
【００１８】
フロントカバーおよびバックカバー１９２には、いずれもスクリーンを設けることができ、正常な撮影時には、アクションカメラ１のレンズは撮影対象の方、すなわち前側を向き、ユーザが撮影画面を見ることができるよう、バックカバー１９２上のスクリーンがユーザ側を向いている。ユーザが自分撮りをする際には、レンズはユーザ側を向き、ユーザが撮影画面を見ることができるよう、フロントカバー上のスクリーンがユーザ側を向いている。フロントカバー上のレンズは、スクリーンとずらして設けられ、両者が互いに干渉しないようにする。
【００１９】
図１および図２に示すように、メインチップ１１は、ケーシング１９内の回路板１ａ上に設けられ、アクションカメラ１における各センサのデータを処理するために用いることができる。外部と情報交換するために用いることができ、例えば、ユーザが入力した制御コマンドを受け取る、採取した画像情報を出力する等を行うことができる。さらに、各センサのデータ、ユーザが入力した制御コマンド、予め保存した制御コマンド等によりアクションカメラ１の動作状態を制御することもできる。メインチップ１１は、大量のデータ処理を行う必要があるため、その動作中に大量の熱を発生するので、メインチップ１１は、アクションカメラ１における発熱素子の一つである。
【００２０】
図１から図５に示すように、アクションカメラ１は、アクションカメラ１における発熱素子を放熱するために用いられる放熱アセンブリをさらに含む。放熱アセンブリは、メインチップ１１を放熱するためのヒートパイプ１３１および第１の放熱板１３２を含む。
【００２１】
ヒートパイプ１３１は、蒸発端１３１１および冷却端１３１２を有し、ヒートパイプ１３１の蒸発端１３１１は、メインチップ１１と伝熱接触することができ、メインチップ１１の熱を吸収し、この熱をその冷却端１３１２に伝達して放出する。ヒートパイプ１３１の冷却端１３１２は、ヒートパイプ１３１の蒸発端１３１１よりもメインチップ１１から離れており、例えば、ヒートパイプ１３１の冷却端１３１２は、メインチップ１１から伸び出た面まで延伸してもよく、すなわち、冷却端１３１２から放出された熱によりメインチップ１１の放熱が影響を受けることがないよう、ヒートパイプ１３１の冷却端１３１２は、メインチップ１１と接触しなくてもよい。
【００２２】
ヒートパイプ１３１の蒸発端１３１１および冷却端１３１２は、いずれも第１の放熱板１３２と伝熱接触する。第１の放熱板１３１上であってメインチップ１１と伝熱接触する部分の熱が迅速にヒートパイプ１３１の蒸発端１３１１、冷却端１３１２を経て第１の放熱板１３２上であってメインチップ１１から離れた部分に伝達されてから、第１の放熱板１３２と伝熱接触するアクションカメラ１のケーシング１９を経て放出されるよう、ヒートパイプ１３１の蒸発端１３１１は、第１の放熱板１３２上であってメインチップ１１に対応する部分と伝熱接触してもよい。第１の放熱板１３２の熱がケーシング１９を経てアクションカメラ１の外に放出されるよう、第１の放熱板１３２は、ヒートパイプ１３１から外向きに延伸して、アクションカメラ１のケーシング１９と直接接触するまで延伸してもよい。
【００２３】
蒸発端１３１１の少なくとも一部および冷却端１３１２の少なくとも一部が、第１の放熱板１３２と直接接触してもよい。いくつかの例において、ヒートパイプ１３１と第１の放熱板１３２との間に比較的大きな接触面積すなわち伝熱面積をもたせるよう、ヒートパイプ１３１の少なくとも一部が、第１の放熱板１３２の表面に密着してもよい。いくつかの例において、第１の放熱板１３２に取付溝を設けてもよく、アクションカメラ１構造のコンパクトさに有利なように、ヒートパイプ１３１を第１の放熱板１３２の取付溝の中に収容することができる。当然ながら、ヒートパイプ１３１と第１の放熱板１３２の係合方法はこれに限定されず、本実施例はここで例を挙げて説明しているにすぎず、ヒートパイプ１３１の熱を迅速に放出できるよう、第１の放熱板１３２がヒートパイプ１３１と伝熱接触していればよい。
【００２４】
ヒートパイプ１３１の蒸発端１３１１および冷却端１３１２をいずれも第１の放熱板１３２と伝熱接続することにより、第１の放熱板１３１上であってメインチップ１１と伝熱接触する部分の一部の熱が迅速にヒートパイプ１３１の蒸発端１３１１、冷却端１３１２を経て第１の放熱板１３２上であってメインチップ１１から離れた部分に伝達され、第１の放熱板１３１上であってメインチップ１１と伝熱接触する部分の他の部分の熱が第１の放熱板１３１自体によってそのメインチップ１１から離れた部分に伝達される。このようにして、メインチップ１１の熱を迅速に放出し、メインチップ１１に対する放熱効果を高めることができる。
【００２５】
メインチップ１１の一部の熱が迅速に第１の放熱板１３２に伝達され、さらに第１の放熱板１３２と伝熱接触するアクションカメラ１のケーシング１９を経て放出されるよう、第１の放熱板１３２をメインチップ１１と直接接触するために用いてもよい。例示的に、ヒートパイプ１３１および第１の放熱板１３２は、メインチップ１１の前端に設けてもよい。
【００２６】
第１の放熱板１３２の熱がケーシング１９を経てアクションカメラ１の外に放出されるよう、第１の放熱板１３２は、ヒートパイプ１３１から外向きに延伸して、アクションカメラ１のケーシング１９と接触するまで延伸してもよい。さらに、第１の放熱板１３２がメインチップ１１上のより多くの領域と接触することにより、第１の放熱板１３２とメインチップ１１との間に比較的大きな接触面積すなわち伝熱面積をもたせ、メインチップ１１に対する放熱効果を高めることができるよう、第１の放熱板１３２がメインチップ１１と接触する面の面積は、メインチップ１１の対応する面の面積において大きくすることができる。
【００２７】
例示的に、第１の放熱板１３２がメインチップ１１と直接接触してもよく、第１の放熱板１３２がケーシング１９と直接接触しても、間接的に接触してもよい。ヒートパイプ１３２の少なくとも一部が第１の放熱板１３２と直接接触してもよく、ヒートパイプ１３２の少なくとも一部がメインチップ１１と間接的に接触してもよく、例えば、ヒートパイプ１３２は、第１の放熱板１３２を介してメインチップと伝熱接触してもよい。ヒートパイプ１３２がケーシング１９と間接的に接触してもよく、例えば、ヒートパイプ１３２は、第１の放熱板１３２を介してケーシング１９と伝熱接触してもよい。
【００２８】
この例では、メインチップ１１の一部の熱が、第１の放熱板１３２がメインチップ１１と接触する部分を経てヒートパイプ１３１に伝達され、ヒートパイプ１３１を経て第１の放熱板１３２のメインチップ１１から離れた部分に伝達されることにより、第１の放熱板１３２と伝熱接触するアクションカメラ１のケーシング１９を経て放出される。メインチップ１１の他の部分の熱は、第１の放熱板１３２に直接伝達され、さらに第１の放熱板１３２と伝熱接触するアクションカメラ１のケーシング１９を経て放出される。このように、ヒートパイプ１３１および第１の放熱板１３２は、メインチップ１１に対して、いずれも放熱作用を有し、ヒートパイプ１３１は、第１の放熱板１３２がメインチップ１１と接触する部分の熱を迅速に放熱板１３２のメインチップ１１から離れた部分に導くことにより、メインチップ１１の熱が迅速に放出されるようにし、すなわちメインチップ１１の温度上昇の問題を有効に解決することができ、アクションカメラ１の動作性能の信頼性を保証するのに有利である。
【００２９】
本実施例で提供する放熱アセンブリは、メインチップ１１と伝熱接触するための第１の放熱板１３２と、第１の放熱板１３２と接触するヒートパイプ１３１とを設け、第１の放熱板１３２をアクションカメラ１のケーシング１９との伝熱接触に用いることにより、第１の放熱板１３２とメインチップ１１とが接触する部分の熱がヒートパイプ１３１を経てメインチップ１１から離れた部分に迅速に伝達され、ケーシング１９を経て放出されるようにする。このように、メインチップ１１の熱をヒートパイプ１３１および第１の放熱板１３２に伝達し、第１の放熱板１３２と伝熱接触したケーシング１９を経てアクションカメラ１の外に放出することができ、これにより、メインチップ１１の熱が複数の放熱経路から放出され、メインチップ１１に良好な放熱効果をもたせることができる。放熱アセンブリの構造はコンパクトであり、占めるスペースが小さく、アクションカメラ１の体積に対する影響は小さく、アクションカメラ１の携帯性に有利である。
【００３０】
選択可能に、第１の放熱板１３２は、対向して設けられた第１の面１３２１および第２の面１３２２を含む。第１の面１３２１の一部がメインチップ１１を覆い、すなわち第１の面１３２１の一部がメインチップ１１と接触する。ヒートパイプ１３１は第２の面１３２２に設けられる。
【００３１】
例示的に、第１の面１３２１上に、メインチップ１１と接触する接触領域を有し、接触領域の形状は、メインチップ１１に対応する。例えば、メインチップ１１が矩形を呈する場合、接触領域も矩形を呈する。第１の放熱板１３２がケーシング１９と伝熱接触するよう、接触領域の少なくとも一方の側から外向きに、すなわちメインチップ１１から離れた方向に延伸し、アクションカメラ１のケーシング１９と接触できるまで延伸する。
【００３２】
ヒートパイプ１３１の少なくとも一部は第２の面１３２２に設けられており、すなわち第１の放熱板１３２のメインチップ１１とは反対側に設けられている。いくつかの例において、ヒートパイプ１３１のすべてを第２の面１３２２に設けてもよく、この場合、ヒートパイプ１３１の蒸発端１３１１は、第１の放熱板１３２を介してメインチップ１１と伝熱接触することができる。別の例では、ヒートパイプ１３１の蒸発端１３１１は、外向きに第１の放熱板１３２から伸び出て、蒸発端１３１１の第１の放熱板１３２から伸び出た部分がメインチップ１１と接触できるようにする。この場合、蒸発端１３１１の第１の放熱板１３２から伸び出た部分は、メインチップ１１と接触するようメインチップ１１に向けて折れ曲がってもよく、または、蒸発端１３１１の第１の放熱板１３２から伸び出た部分は、熱伝導シリカゲルなどの熱伝導媒体を介してメインチップ１１と接触してもよい。
【００３３】
選択可能に、ヒートパイプ１３１とメインチップ１１との間に大きな伝熱面積をもたせるよう、ヒートパイプ１３１における蒸発端１３１１に近い部分は、メインチップ１１の長さ延伸方向に対して傾斜して設けられる。冷却端１３１２がメインチップ１１から伸び出てメインチップ１１に対する冷却端１３１２の影響を減少させるのに便利であり、放熱アセンブリの構造をよりコンパクトにすることができ、アクションカメラ１において占めるスペースを小さくすることができる。
【００３４】
例示的に、ヒートパイプ１３１の蒸発端１３１１に近い部分とメインチップ１１の長さ方向との間の角度は、３０度、４５度、６０度等とすることができる。ヒートパイプ１３１の冷却端１３１２に近い部分は、蒸発端１３１１に近い部分と滑らかに接続することができ、ヒートパイプ１３１の冷却端１３１２に近い部分は、アクションカメラ１の長さ方向に沿って延伸して設けてもよく、アクションカメラ１において占めるスペースを小さくすることができ、アクションカメラ１の小型化および携帯性に有利である。
【００３５】
選択可能に、第２の面１３２２におけるメインチップ１１に対応する領域に溝１３２３が形成され、ヒートパイプ１３１における蒸発端１３１１に近い部分が溝１３２３の中に設けられる。溝１３２３の形状は、ヒートパイプ１３１における蒸発端１３１１に近い部分に対応する。
【００３６】
メインチップ１１を第１の放熱板１３２の溝１３２３の中に設けることにより、ヒートパイプ１３１に対する位置決めを実現することができるだけでなく、放熱アセンブリの構造をよりコンパクトにすることができ、第１の放熱板１３２およびヒートパイプ１３１からなる装着体がアクションカメラ１の厚み方向に沿って小さな寸法を有するようにし、アクションカメラ１において占めるスペースを小さくすることができ、アクションカメラ１の小型化および携帯性に有利である。
【００３７】
選択可能に、図１から図２に示すように、放熱アセンブリは、金属カバー１３３をさらに含む。第１の放熱板１３２の熱を迅速に放出できるよう、金属カバー１３３は、良好な熱伝導性を有する金属材料製としてもよい。例示的に、金属カバー１３３は、第１の放熱板１３２の前端に設けてもよい。金属カバー１３３は、蓋体を含んでもよく、蓋体上に、スクリーン、レンズ等の部材を回避するための回避部が設けられ、蓋体は、後ろ向きに延伸する縁が接続されていてもよく、第１の放熱板１３２の熱が金属カバー１３３に伝わるよう、第１の放熱板１３２は、縁の少なくとも一部、蓋体の少なくとも一部の少なくともひとつと当接するまで延伸していてもよい。
【００３８】
いくつかの例において、少なくとも金属カバー１３３の一部がアクションカメラ１のケーシング１９の下に設けられ、第１の放熱板１３２と伝熱接続している。金属カバー１３３は、ケーシング１９内に設けてもよく、すなわち、金属カバー１３３は、ケーシング１９に覆われていてもよく、金属カバー１３３はケーシング１９と伝熱接触し、ケーシング１９はアクションカメラ１の外の空気と接触し、第１の放熱板１３２の熱が金属カバー１３３に伝達するようにし、金属カバー１３３は、ケーシング１９を介してアクションカメラ１の外の空気と熱交換することができ、熱をアクションカメラ１の外に放出して、放熱を実現することができる。
【００３９】
他の例では、金属カバー１３３はアクションカメラ１の一部のケーシング１９であり、すなわち、金属カバー１３３はアクションカメラ１のケーシング１９の一部である。このとき、金属カバー１３３の少なくとも表面が露出し、すなわち、金属カバー１３３の少なくとも表面がアクションカメラ１の外の空気と接触し、第１の放熱板１３２の熱が金属カバー１３３に伝達されるようにし、金属カバー１３３の熱の一部はアクションカメラ１の外の空気と熱交換することができ、金属カバー１３３の他の部分の熱は、ケーシング１９を介してアクションカメラ１の外の空気と熱交換することができ、これによって熱をアクションカメラ１の外に放出して、放熱を実現することができる。
【００４０】
本実施例では、第１の放熱板１３２と伝熱接触する金属カバー１３３を設けることにより、金属カバー１３３が第１の放熱板１３２の熱を迅速に放出することができ、これによってアクションカメラ１におけるメインチップ１１等の発熱素子に対する放熱効果を高める。
【００４１】
選択可能に、放熱アセンブリは、第１の熱伝導マットをさらに含み、第１の熱伝導マットは、第１の放熱板１３２と伝熱接触し、第１の熱伝導マットは、金属カバー１３３と伝熱接触する。第１の熱伝導マットは、熱伝導媒体製の一定の弾性を有するシート状構造であり、例えば、熱伝導シリカゲル製の一定の弾性を有するシート状構造である。
【００４２】
第１の放熱板１３２と金属カバー１３３との間に第１の熱伝導マットを設けることによって、第１の熱伝導マットを第１の放熱板１３２と金属カバー１３３との間の間隙に良好に充填して、第１の放熱板１３２と金属カバー１３３との間に大きな接触面積をもたせることにより第１の放熱板１３２と金属カバー１３３との間の熱伝導効率を高めることができ、アクションカメラ１の放熱効果を高めるのに有利である。
【００４３】
選択可能に、放熱アセンブリは、レンズカバー１３４をさらに含み、レンズカバー１３４の少なくとも一部は、金属材料製のレンズカバー１３４であり、レンズカバー１３４は、レンズ１５を保護するよう、アクションカメラ１のレンズ１５を覆うことができる。これに対応して、金属カバー１３３上には、レンズカバー１３４を取り付けるためのレンズカバー取付部１３３１が設けられている。例示的に、レンズカバー取付部１３３１は、金属カバー１３３の右上部に設けてもよい。
【００４４】
レンズカバー１３４は良好な熱伝導性を有し、レンズ１５を覆うレンズカバー１３４の少なくとも一部が露出しており、すなわち、レンズカバー１３４の少なくとも一部がアクションカメラ１の外の空気と接触している。さらに、レンズカバー１３４は、金属カバー１３３上のレンズカバー取付部１３３１に接続されており、すなわち、レンズカバー１３４は金属カバー１３３に接続され接触している。そのため、第１の放熱板１３２が金属カバー１３３に伝達した熱は、さらにレンズカバー１３４を経て迅速に放出することができる。
【００４５】
選択可能に、第１の放熱板１３２は、レンズカバー取付部１３３１の少なくとも一部で周方向に沿って分布し、第１の放熱板１３２と金属カバー１３３との間で大きな接触面積を有し、さらに第１の放熱板１３２がレンズ１５等の部材に影響を及ぼす設置を回避することができ、アクションカメラ１構造のコンパクトさに有利であり、アクションカメラ１の小型化を実現するのに有利であり、アクションカメラ１の携帯性に有利である。
【００４６】
例示的に、第１の放熱板１３２上のレンズカバー取付部１３３１に対応する領域に、レンズ１５等の部材を設置可能な回避部が設けられている。一つの実現可能な形態において、回避部は、回避穴としてもよく、その場合、レンズカバー取付部１３３１の周方向全体に沿って第１の放熱板１３２が設けられている。もう一つの実現可能な形態において、回避部は、回避溝としてもよく、その場合、レンズカバー取付部１３３１の一部で周方向に沿って第１の放熱板１３２が設けられている。
【００４７】
選択可能に、レンズカバー取付部１３３１は、金属カバー１３３上の第１の放熱板１３２とは反対の突起部であり、突起部にはねじ山が設けられ、レンズカバー１３４は、ねじ山によって金属カバー１３３に接続され、金属カバー１３３とレンズカバー１３４との間に大きな接触面積をもたせ、金属カバー１３３とレンズカバー１３４との間の伝熱効率を高めることができ、レンズカバー１３４の着脱にも便利である。
【００４８】
一つの実現可能な形態において、突起部上に雄ねじが設けられ、レンズカバー１３４上に雌ねじが設けられることにより、突起部の少なくとも一部をレンズカバー１３４の中に挿設し、突起部とレンズカバー１３４をねじ接続することができる。もう一つの実現可能な形態において、突起部上に雌ねじが設けられ、レンズカバー１３４上に雄ねじが設けられることにより、レンズカバー１３４の少なくとも一部を突起部の中に挿設し、突起部とレンズカバー１３４をねじ接続することができる。
【００４９】
選択可能に、図８に示すように、レンズカバー１３４は、内壁が径方向に沿って内向きに延伸して支持部１３４１ａが形成された金属放熱リング１３４１と、金属放熱リング１３４１の内壁に設けられ、支持部１３４１ａに当接する熱伝導リング１３４２と、を含み、熱伝導リング１３４２の内壁は、アクションカメラ１のレンズ１５と接触し係合するために用いられる。
【００５０】
このように、熱伝導リング１３４２は、熱伝導体として、レンズ１５と接触係合し、レンズ１５と接触する接触面上の熱を放出することができる。また、金属放熱リング１３４１が熱伝導リング１３４２と接触係合することにより、熱伝導リング１３４２上の一部の熱を放出することによってレンズ１５に対する放熱の作用を達成することもできる。
【００５１】
金属放熱リング１３４１は、ベリリウム銅合金放熱リングとしてもよい。ベリリウム銅合金は、効率的に熱伝導する金属材料であり、熱伝導係数は１０５ｗ／ｍ．ｋ以上であり、ステンレス鋼の６倍以上である。良好な熱伝導効果を有し、アクションカメラ１に対する放熱効果を保証する。
【００５２】
熱伝導リング１３４２は、熱伝導ゲルリングであってもよい。熱伝導ゲルは、ゲル状の物体であり、高い熱伝導係数を有し、熱伝導係数は５ｗ／ｍ．ｋである。ゲル状であるため、熱伝導媒体としてレンズ１５と金属放熱リング１３４１との間に塗布することができ、レンズ１５の放熱面積および金属放熱リング１３４１の吸熱面積を大きくすることができ、アクションカメラ１におけるレンズ１５に対する放熱効果を高めることができる。
【００５３】
一つの実現可能な形態において、支持部１３４１ａは、金属放熱リング１３４１の内壁の端部に位置してもよい。例示的に、熱伝導リング１３４２の一端は支持部１３４１ａに当接し、熱伝導リング１３４２の他端は金属放熱リング１３４１の端部と面一とすることができる。このようにして、支持部１３４１ａが金属放熱リング１３４１において占める内壁スペースをできる限り小さくする。金属放熱リング１３４１の内壁の余剰部分は、いずれも熱伝導リング１３４２との接触係合に用いることができ、熱伝導リング１３４２の面積を最大限に増やして、レンズ１５に対する放熱効果を高めることができる。
【００５４】
本実施例では、支持部１３４１ａは、金属放熱リング１３４１の円周に沿って環状を呈して金属放熱リング１３４１の内壁に形成されており、熱伝導リング１３４２と充分に接触して、最適な支持効果を達成することができる。他の実施例では、支持部１３４１ａは、複数であってもよく、金属放熱リング１３４１の内壁に均等に配置され、すなわち、複数の支持部１３４１ａの間に間隔をあけて設置されていることに相当し、同様に熱伝導リング１３４２を支持する作用を奏することができる。
【００５５】
また、金属放熱リング１３４１の内壁とレンズ１５との間に残された距離は、熱伝導リング１３４２の径方向に沿った厚みよりも小さくてもよい。レンズ１５をレンズカバー１３４の中に置く際に、レンズ１５とレンズカバー１３４の金属放熱リング１３４１の部分に摩擦が生じ、レンズ１５の外面を傷つけることを防止するため、金属放熱リング１３４１の内壁とレンズ１５との間に０．５ｍｍ以上の安全距離を残した後、金属放熱リング１３４１の内壁に厚み０．７ｍｍの熱伝導リング１３４２を設ける。そして、０．５ｍｍの間隙内に厚み０．７０ｍｍの熱伝導リング１３４２を設け、レンズ１５をレンズカバー１３４に挿入する過程で、レンズ１５は熱伝導リング１３４２と干渉することができ、熱伝導リング１３４２がレンズ１５をしっかりと覆い、レンズ１５と熱伝導リング１３４２の接触面積を大きくして、放熱性能を高めることができる。
【００５６】
選択可能に、レンズカバー１３４は、熱伝導リング１３４２の内壁に設けられ、その内壁がレンズ１５との接触係合に用いられる弾性リング１３４３をさらに含む。弾性リング１３４３は、シリカゲルリングであってもよい。シリカゲルは、弾性を有する物質材料であり、圧力を受けると変形し、圧力が解除されるとその前の形状に戻る。熱伝導係数は０．２７ｗ／ｍ．ｋで、空気の約１０倍以上であり、空気の熱伝導係数は０．０２４ｗ／ｍ．ｋである。
【００５７】
熱伝導リング１３４２とレンズ１５との間に柔軟な弾性リング１３４３を設けることによって、発熱体であるレンズ１５およびその外面を傷つけることがなく、発熱体であるレンズ１５の表面を破損せずにレンズ１５と密接させることができ、接触面上の熱を放出することができる。また、シリカゲルが弾力性のある物質であることを利用し、レンズ１５を切断方向に繰り返し抜き差しした後でも、元の形状を維持し、繰り返し使用することができ、レンズ１５等の放熱が必要であり繰り返し抜き差しする装置に適している。
【００５８】
弾性リング１３４３の両側には、径方向に沿って外向きに延伸して縁取り部１３４３ａが形成されており、縁取り部１３４３ａは、熱伝導リング１３４２の側壁を覆う。縁取り部１３４３ａで熱伝導リング１３４２の側壁を覆うことによって、熱伝導リング１３４２を嵌設するために弾性リング１３４３の外壁を周回の溝部に形成することに相当し、弾性リング１３４３と熱伝導リング１３４２の間で互いにより密接に接続することができ、熱伝導リング１３４２が圧を受けて変形する過程において金属放熱リング１３４１から離間することを防止することができる。
【００５９】
実現可能な形態において、金属放熱リング１３４１の内壁とレンズ１５との間に残された距離は、熱伝導リング１３４２の径方向に沿った厚みと弾性リング１３４３の径方向に沿った厚みとの和よりも小さい。本実施例では、レンズ１５をレンズカバー１３４の中に置く際に、レンズ１５とレンズカバー１３４の金属放熱リング１３４１の部分に摩擦が生じ、レンズ１５の外面を傷つけることを防止するため、金属放熱リング１３４１の内壁とレンズ１５との間に０．５ｍｍ以上の安全距離を残した後、金属放熱リング１３４１の内壁に厚み０．４ｍｍの熱伝導リング１３４２をさらに設け、さらに熱伝導リング１３４２上に厚み０．３ｍｍの弾性リング１３４３を設ける。このようにして、０．５ｍｍの間隙内に厚み合計０．７０ｍｍの熱伝導リング１３４２および弾性リング１３４３を設け、レンズ１５をレンズカバー１３４に挿入する過程で、製品は弾性リング１３４３と干渉し、弾性リング１３４３が製品をしっかりと覆い、レンズ１５とレンズカバー１３４の放熱面積を大きくして、放熱性能を高めることができる。
【００６０】
選択可能に、図１から図２、図６から図７に示すように、ケーシング１９は、プラスチックフロントカバー１９１を含み、プラスチックフロントカバー１９１は、金属カバー１３３のメインチップ１１とは反対側に設けられ、すなわち、プラスチックフロントカバー１９１は金属カバー１３３の前端に設けられている。プラスチックフロントカバー１９１上には、レンズスルーホール１９１１が設けられており、レンズカバー取付部１３３１とレンズカバー１３４は、レンズスルーホール１９１１において接続される。
【００６１】
金属カバー１３３は、プラスチックフロントカバー１９１の下に位置していてもよく、すなわち、金属カバー１３３は、プラスチックフロントカバー１９１の内側に覆われていてもよく、すなわち、金属カバー１３３は、プラスチックフロントカバー１９１の後端に覆われていてもよい。または、金属カバー１３３は、プラスチックフロントカバー１９１の後端に位置し、金属カバー１３３の少なくとも一部が露出し、すなわち、金属カバー１３３の少なくとも一部がアクションカメラ１の外の空気と接触する。
【００６２】
プラスチックフロントカバー１９１上のレンズカバー取付部１３３１に対応する部分に、レンズスルーホール１９１１が設けられており、レンズスルーホールは、レンズカバー取付部１３３１とレンズカバー１３４のうちの少なくとも一方を貫通させ、レンズカバー取付部１３３１とレンズカバー１３４とを接続する。例示的に、レンズカバー取付部１３３１は雄ねじを有し、レンズカバー取付部１３３１の少なくとも一部がレンズスルーホールの中に設けられている。レンズカバー１３４は雌ねじを有し、レンズカバー１３４の後端は、プラスチックフロントカバー１９１上のレンズスルーホール１９１１周囲に位置する部分と当接し、レンズカバー１３４は、レンズカバー取付部１３３１にねじ接続される。
【００６３】
本実施例では、プラスチックフロントカバー１９１を設けることによって、アクションカメラ１が良好な耐衝撃・耐落下性能を有するようにし、アクションカメラ１をよりよく保護する。
【００６４】
選択可能に、金属カバー１３３上の第１の放熱板１３２とは反対側に放熱器１３３２が設けられ、すなわち、金属カバー１３３の前端に放熱器１３３２が設けられ、アクションカメラ１の放熱効果を高める。放熱器１３３２は、レンズカバー取付部１３３１の近くに設けてもよく、これによって、第１の放熱板１３２およびレンズ１５の熱の一部を迅速に放熱器１３３２によって放出することができる。放熱器１３３２およびレンズカバー取付部１３３１は、ヒートパイプ１３１の冷却端１３１２の近くに設けてもよく、すなわち、放熱器１３３２およびレンズカバー取付部１３３１は、第１の放熱板１３２と冷却端１３１２が接続された部分の近くに設けてもよく、チップ１１から第１の放熱板１３２に直接伝導した熱、およびヒートパイプ１３１を経て第１の放熱板１３２に伝導した熱が、レンズカバー取付部１３３１および放熱器１３３２に迅速に伝導できるようにする。例示的に、第１の放熱板１３２と冷却端１３１２とが接続する部分は、第１の放熱板１３２の熱量が迅速に金属カバー１３３を経てアクションカメラ１の外に放出することに有利なように、金属カバー１３３の縁の近くに設けてもよい。それに対応して、放熱器１３３２およびレンズカバー取付部１３３１を金属カバー１３３の縁の近くに設けてもよい。
【００６５】
放熱器１３３２は、レンズカバー取付部１３３１の部分の外周に設けてもよい。例えば、レンズカバー取付部１３３１は、金属カバー１３３の縁の近くに設けてもよく、レンズカバー取付部１３３１を金属カバー１３３の右側の縁と上側の縁に設けた場合、放熱器１３３２をレンズカバー取付部１３３１の左側、右側の少なくともひとつであって、レンズカバー取付部１３３１の近くに設けてもよい。また、放熱器１３３２を直接外部の空気に接触させ、放熱効果を高めるために、放熱器１３３２は、金属カバー１３３の外部の空気に接近する前面に設けてもよい。さらに、放熱器１３３２がアクションカメラ１の内部スペースを占めることを回避することもでき、アクションカメラ１の内部構造のコンパクトさに有利である。
【００６６】
金属カバー１３３の放熱面積を大きくし、放熱効果を高めるため、放熱器１３３２は、熱放射型放熱器であってもよい。熱放射型放熱器は、熱エネルギーを放射の形式で伝達することができ、すなわち、熱放射型放熱器は、それ自身の表面を介して直接空気と熱交換を行うことができ、他の媒体を必要とせず、その構造は簡単で、アクションカメラ１の体積に対する影響が小さい。
【００６７】
例示的に、放熱器１３３２は、少なくとも一つの放熱フィンを含み、例えば、放熱器１３３２は、並設された複数の放熱フィンを含む。各放熱フィンは、金属カバー１３３の第１の放熱板１３２とは反対の面から、第１の放熱板１３２から離れる方向に沿って延伸して設けてもよく、すなわち、各放熱フィンは、金属カバー１３３の前面から前向きに延伸してもよい。金属カバー１３３の前面により多くの放熱フィンを設け、金属カバー１３３の放熱面積をさらに大きくするため、放熱フィンは、さらにアクションカメラ１の上下方向に沿って延伸して設けられる。各放熱フィンと外部空気とで熱交換を行う効率を保証するのに有利なように、隣接する２つの放熱フィン間には、予め設けられた間隙があってもよい。これによって、複数の放熱フィンは、アクションカメラ１の長さ方向、すなわち左右方向に沿って間隔をあけて均等に分布することができ、放熱器１３３２が比較的大きな放熱面積を有し、外部空気との間に良好な熱交換効率を有するようになり、アクションカメラ１の放熱効果をさらに高めることができる。
【００６８】
当然ながら、放熱フィンの分布方法はこれに限定されず、例えば、放熱フィンは、放射状を呈してレンズカバー取付部１３３１の一部の外周に分布していてもよい。放熱器の構造は、これに限定されず、例えば、放熱器は、複数の柱状構造をさらに含んでもよく、複数の柱状構造は、マトリックスを呈して分布してもよく、放熱器１３３２が比較的大きな放熱面積を有し、外部空気との間に良好な熱交換効率を有するようになり、アクションカメラ１の放熱効果をさらに高めることができる。
【００６９】
本実施例では、放熱器１３３２のタイプはこれに限定されず、例えば、放熱器１３３２は、対流型放熱器であってもよい。
【００７０】
また、放熱器１３３２の放熱効果をさらに高めるため、金属カバー１３３前端のプラスチックフロントカバー１９１上に放熱ウィンドウ１９１２を設けてもよく、放熱器１３３２の一部が放熱ウィンドウ１９１２から露出し、アクションカメラ１外部の空気と熱交換することができる。例示的に、放熱ウィンドウ１９１２の形状は、放熱器１３３２の形状に対応してもよく、放熱器１３３２におけるより多くの面が放熱ウィンドウ１９１２から露出するようにすることができる。
【００７１】
選択可能に、第１の放熱板１３２と冷却端１３１２とが接続する部分は、レンズカバー取付部１３３１、放熱器１３３２の少なくともひとつの近くに設けられ、ヒートパイプ１３１の冷却端１３１２から放出される熱が、迅速に金属カバー１３３によって放出されるようにする。放熱器１３３２をレンズカバー取付部１３３１の近くに設ける場合、すなわち、放熱器１３３２とレンズカバー取付部１３３１との間の距離が小さい場合、第１の放熱板１３２と冷却端１３１２とが接続する部分をレンズカバー取付部１３３１および放熱器１３３２の近くに設けることができる。放熱器１３３２とレンズカバー取付部１３３１との間の距離が大きい場合、第１の放熱板１３２と冷却端１３１２とが接続する部分をレンズカバー取付部１３３１、放熱器１３３２のうちのいずれかの近くに設けることができる。
【００７２】
選択可能に、第１の放熱板１３２は、冷却端１３１２に接続する部分から放熱器１３３２の長さ方向に延伸し、第１の放熱板１３２の延伸部分は、金属カバー１３３上の放熱器１３３２に対応する領域と伝熱接触する。放熱器１３３２の長さ方向は、アクションカメラ１の長さ方向と同じであってもよい。
【００７３】
このような設置により、第１の放熱板１３２およびヒートパイプ１３１の冷却端１３１２の熱のアクションカメラ１内での滞留および損失を少なくすることができ、より多くの熱が金属カバー１３３の放熱器１３３２から迅速に放出され、これにより、アクションカメラ１の体積を大きくせずに、アクションカメラ１の携帯性に影響を及ぼさずに、アクションカメラ１の放熱効果をさらに高めることができる。
【００７４】
本実施例では、メインチップ１１の熱の一部が第１の放熱板１３２を経てヒートパイプ１３１の蒸発端１３１１、冷却端１３１２に伝達され、さらに第１の放熱板１３２のメインチップ１１から離れた部分に伝達される。メインチップ１１の他の部分の熱は、第１の放熱板１３２に直接伝達することができる。第１の放熱板１３２の熱の一部は、金属カバー１３３の放熱器１３３２に伝達され、放熱器１３３２を介して熱をアクションカメラ１から放出する。第１の放熱板１３２の別の部分の熱は、金属カバー１３３を経てアクションカメラ１のケーシング１９、レンズカバー１３４に伝達され、ケーシング１９、レンズカバー１３４を介してアクションカメラ１から放出される。
【００７５】
レンズ１５は、主に外部の画像情報を採取するために用いられ、この画像情報はメインチップ１１に伝達される。レンズ１５において、結像センサ１５１を設けることにより、外部の物体から反射または発射された電磁波信号を結像センサ１５１が受信し、この電磁波信号を画像情報に変換する。レンズ１５は、出力端子が設けられていてもよく、出力端子は、接続ケーブルを介してメインチップ１１に通信接続され、結像センサ１５１が生成した画像情報をメインチップ１１に伝達することができる。または、レンズ１５は、ワイヤレス通信モジュールが設けられていてもよく、結像センサ１５１が生成した画像情報をワイヤレス伝送の方式でメインチップ１１に伝達する。結像センサ１５１は、大量のデータ処理を行う必要があるため、その動作中に大量の熱を発生するので、結像センサ１５１は、アクションカメラ１における発熱素子の一つとなり得る。
【００７６】
選択可能に、放熱アセンブリは、結像センサ１５１の放熱に用いられる第２の放熱板１３６をさらに含み、第２の放熱板１３６は、第１の放熱板１３２とずらして設けられ、第２の放熱板１３６は、結像センサ１５１との伝熱接触に用いられ、アクションカメラ１のケーシング１９との伝熱接触に用いられ、結像センサ１５１の熱をアクションカメラ１のケーシング１９から放出することにより、結像センサ１５１に対する放熱を実現する。
【００７７】
例示的に、第２の放熱板１３６は、結像センサ１５１で発生した熱を第２の放熱板１３６に伝達することができるよう、直接結像センサ１５１の表面と接触してもよい。または、第２の放熱板１３６は、結像センサ１５１で発生した熱を熱伝導媒体を介して第２の放熱板１３６に伝達することができるよう、熱伝導媒体を介して結像センサ１５１と接触してもよい。
【００７８】
いくつかの例において、第２の放熱板１３６の構造の設置および位置の設置をより柔軟にするため、第２の放熱板１３６とアクションカメラ１のケーシング１９は、互いに独立した部材である。結像センサ１５１の熱をアクションカメラ１のケーシング１９から放出することができるよう、第２の放熱板１３６は、結像センサ１５１から外に向けてアクションカメラ１のケーシング１９と接触するまで延伸してもよい。または、結像センサ１５１から第２の放熱板１３６に伝達した熱が熱伝導媒体を介してアクションカメラ１のケーシング１９に伝達されるよう、第２の放熱板１３６とアクションカメラ１のケーシング１９との間に熱伝導媒体が設けられていてもよい。
【００７９】
他の例では、第２の放熱板１３６とアクションカメラ１のケーシング１９の一部は、一体成形された一体部材であり、放熱アセンブリにおける部材数を減らし、アクションカメラ１の装着を簡略化するのに有利であり、放熱板とアクションカメラ１のケーシング１９を確実に伝熱接触させることができる。例示的に、第２の放熱板１３６は、ケーシング１９の結像センサ１５１から最も近い部分から、画像センサが所在する方向に向けて延伸していてもよく、第２の放熱板１３６は結像センサ１５１の表面を覆うことができるまで延伸し、第２の放熱板１３６と結像センサ１５１との間に大きな接触面積をもたせるようにし、伝熱経路を短縮することができ、結像センサ１５１に対する放熱効果を高めるのに有利である。
【００８０】
例えば、アクションカメラ１においてレンズ１５が所在する方向を前端とした場合、第１の放熱板１３２はメインチップ１１の前端に位置してもよく、第２の放熱板１３６は、相対的にメインチップ１１の後端に位置してもよく、第２の放熱板１３６がよりよく結像センサ１５１と接触できるようにする。
【００８１】
レンズ１５の構造は複雑であり、レンズ１５の体積は大きいため、レンズ１５における結像センサ１５１は、通常、レンズ１５の後部に位置し、アクションカメラ１の構造をよりコンパクトにするため、結像センサ１５１は、メインチップ１１に対しても後ろ側に設けられている。
【００８２】
選択可能に、第２の放熱板１３６および第１の放熱板１３２は、それぞれメインチップ１１の対向する両側に位置する。第１の放熱板１３２は、メインチップ１１の前端に位置してもよく、レンズ１５が第１の放熱板１３２と接触し、レンズ１５の熱の一部を第１の放熱板１３２に伝達することができるよう、レンズ１５は、第１の放熱板１３２の縁から、または第１の放熱板１３２の中から通過してもよい。第２の放熱板１３６は、相対的にメインチップ１１の後端に位置してもよく、第２の放熱板１３６がよりよく結像センサ１５１と接触できるようにし、レンズ１５が多くの放熱経路を有するようにする。
【００８３】
選択可能に、放熱アセンブリは、第２の熱伝導マットをさらに含み、第２の放熱板１３６は、第２の熱伝導マットを介して結像センサ１５１と伝熱接触する。第２の熱伝導マットは、熱伝導媒体製の一定の弾性を有するシート状構造であり、例えば、熱伝導シリカゲル製の一定の弾性を有するシート状構造である。
【００８４】
第２の放熱板１３６と結像センサ１５１との間に第２の熱伝導マットを設けることによって、第２の熱伝導マットを第２の放熱板１３６と結像センサ１５１との間の間隙に良好に充填して、第２の放熱板１３６と結像センサ１５１との間に大きな接触面積をもたせることにより第２の放熱板１３６と結像センサ１５１との間の伝熱効率を高めることができ、結像センサ１５１の放熱効果を高めるのに有利であり、アクションカメラ１の放熱効果を高めるのに有利である。
【００８５】
アクションカメラ１には、バッテリー１７を収容するためのバッテリーホルダー１ｂが設けられ、ケーシング１９上には、バッテリー１７をバッテリーホルダー１ｂに出し入れするためのバッテリーホルダー口１ｃが設けられている。バッテリー１７は、通常、扁平状を呈しているため、バッテリーホルダー口１ｃは、ケーシング１９の側部に設けてもよく、アクションカメラ１構造のコンパクトさに有利なように、例えば、バッテリーホルダー口１ｃは、ケーシング１９の左側、右側、上側または下側などに設けてもよい。バッテリー１７をバッテリーホルダー１ｂに出し入れする方向は、アクションカメラ１のレンズ１５の光軸方向に垂直である。
【００８６】
本実施例では、図３から図５に示すように、メインチップ１１は、バッテリーホルダー１ｂと第１の放熱板１３２との間に位置する。すなわち、メインチップ１１がバッテリーホルダー１ｂの前側に位置し、第１の放熱板１３２がメインチップ１１の前側に位置してもよい。すなわち、バッテリーホルダー１ｂ、メインチップ１１および第１の放熱板１３２は、後ろから前への方向に並んで分布している。また、アクションカメラ１の結像センサ１５１とメインチップ１１は、バッテリーホルダー１ｂの同じ側に位置し、アクションカメラ１における各部材のレイアウトをよりコンパクトにし、アクションカメラ１構造のコンパクトさに有利である。
【００８７】
例示的に、結像センサ１５１は、メインチップ１１と面一であってもよく、または、結像センサ１５１は、メインチップ１１よりも後ろに設けられていてもよく、アクションカメラ１構造のコンパクトさにさらに有利である。このとき、結像センサ１５１のために放熱する第２の放熱板１３６は結像センサ１５１の後ろ側に位置する、すなわち、第２の放熱板１３６はメインチップ１１の後ろ側に位置し、メインチップ１１のために放熱する第１の放熱板１３２はメインチップ１１の前側に位置する。
【００８８】
バッテリーホルダー１ｂの中のバッテリー１７は、アクションカメラ１において電気を用いる各部材に配電して電気エネルギーを提供するために主に用いられ、その動作中にも大量の熱を発生するため、バッテリー１７もアクションカメラ１における発熱素子の一つとなり得る。
【００８９】
選択可能に、放熱アセンブリは、アクションカメラ１のバッテリーホルダー口１ｃを覆う金属バッテリーカバー１３７をさらに含み、金属バッテリーカバー１３７はアクションカメラ１のバッテリー１７に接続され、アクションカメラ１のケーシング１９の一部を形成し、バッテリー１７の熱をアクションカメラ１のケーシング１９から放出するため、バッテリー１７の少なくとも一部の表面との伝熱接触に用いられる。
【００９０】
すなわち、バッテリーホルダー口１ｃを覆う金属バッテリーカバー１３７は、バッテリー１７の少なくとも一部の表面と伝熱接触し、金属バッテリーカバー１３７はアクションカメラ１のケーシング１９の一部を形成して露出し、金属バッテリーカバー１３７がアクションカメラ１の外の空気と熱交換できるようにし、バッテリー１７の熱がアクションカメラ１のケーシング１９から放出されるようにする。
【００９１】
金属バッテリーカバー１３７は、ねじ、係合などの着脱可能な接続方式でバッテリーホルダー１ｂと着脱可能に接続され、バッテリー１７の取り外しに便利である。いくつかの例では、金属バッテリーカバー１３７とバッテリー１７は、互いに独立した部材であってもよく、このとき、金属バッテリーカバー１３７は、直接バッテリー１７の表面と接触してもよく、または、金属バッテリーカバー１３７は、熱伝導媒体を介してバッテリー１７の表面と接触してもよく、バッテリー１７の熱を金属バッテリーカバー１３７に伝達できるようにする。別の例では、アクションカメラ１における部材数を減らし、バッテリー１７の装着プロセスを簡略化するために、バッテリー１７および金属バッテリーカバー１３７は、一体成形された一体部材であり、バッテリー１７と金属バッテリーカバー１３７を確実に伝熱接触させ、伝熱経路を簡略化し、伝熱プロセスにおける熱損失を少なくするのに便利である。
【００９２】
選択可能に、金属バッテリーカバー１３７のバッテリー１７とは反対の外面にプラスチック部材１３８が設けられており、プラスチック部材１３８は、アクションカメラ１の外の空気と対流を発生させることにより、バッテリー１７で発生した熱を迅速に放熱することができるとともに、金属バッテリーカバー１３７の外側はプラスチック材料製のプラスチック部材であるため、温度が高くなりすぎて手を火傷する問題を解決することができ、操作する人が火傷することを防止することができる。
【００９３】
本実施例は、放熱アセンブリをさらに提供する。その構造、機能および実現プロセスは、前述したいずれの実施例における放熱アセンブリと同じであってもよく、ここでは詳しくは述べない。
【００９４】
なお、本実施例における放熱アセンブリは、アクションカメラ１のみに適しているのではなく、少なくとも一部の特徴は、モニタリング装置などの他の画像採取装置に適用することもでき、その少なくとも一部の特徴は、演算制御機能を有する他の端末装置に適用することもできる。
【００９５】
最後に、これらの実施例の上下の文において本技術のいくつかの実施例に関連する利点について記述したが、他の実施例もこのような利点を含み、かつすべての実施例について本発明のすべての利点を詳細に記述したわけではない。実施例における技術的特徴によって客観的にもたらされる利点は、いずれも先行技術とは相違する本発明の利点とみなすべきであり、いずれも本発明の保護範囲に属する。
【符号の説明】
【００９６】
１  アクションカメラ
１ａ  回路板
１ｂ  バッテリーホルダー
１ｃ  バッテリーホルダー口
１１  メインチップ
１３１  ヒートパイプ
１３１１  蒸発端
１３１２  冷却端
１３２  第１の放熱板
１３２１  第１の面
１３２２  第２の面
１３２３  溝
１３３  金属カバー
１３３１  レンズカバー取付部
１３３２  放熱器
１３４  レンズカバー
１３４１  金属放熱リング
１３４１ａ  支持部
１３４２  熱伝導リング
１３４３  弾性リング
１３４３ａ  縁取り部
１３６  第２の放熱板
１３７  金属バッテリーカバー
１３８  プラスチック部材
１５  レンズ
１５１  結像センサ
１７  バッテリー
１９  ケーシング
１９１  プラスチックフロントカバー
１９２  バックカバー
１９３  ミドルフレーム
１９１１  レンズスルーホール
１９１２  放熱ウィンドウ
【図１】
2021525008.tif 000003
【図２】
2021525008.tif 000004
【図３】
2021525008.tif 000005
【図４】
2021525008.tif 000006
【図５】
2021525008.tif 000007
【図６】
2021525008.tif 000008
【図７】
2021525008.tif 000009
【図８】
2021525008.tif 000010
【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
カメラにおける、前記カメラのメインチップを含む発熱素子の放熱に用いられる放熱アセンブリであって、
ヒートパイプと、第１の放熱板と、を備え、
前記ヒートパイプの蒸発端および冷却端は、いずれも前記第１の放熱板と伝熱接触し、前記ヒートパイプの冷却端は、前記ヒートパイプの蒸発端よりも前記メインチップから離れており、
前記第１の放熱板は、前記メインチップとの伝熱接触に用いられ、前記メインチップの熱を前記カメラのケーシングから放出するよう、前記カメラのケーシングとの伝熱接触に用いられることを特徴とする放熱アセンブリ。
【請求項２】
前記第１の放熱板は、対向して設けられた第１の面および第２の面を含み、前記第１の面の一部が前記メインチップを覆い、前記ヒートパイプは前記第２の面に設けられることを特徴とする請求項１に記載の放熱アセンブリ。
【請求項３】
前記ヒートパイプにおける前記蒸発端に近い部分は、前記メインチップの長さ延伸方向に対して傾斜して設けられることを特徴とする請求項２に記載の放熱アセンブリ。
【請求項４】
前記第２の面における前記メインチップに対応する領域に溝が形成され、前記ヒートパイプにおける前記蒸発端に近い部分が前記溝の中に設けられることを特徴とする請求項３に記載の放熱アセンブリ。
【請求項５】
前記放熱アセンブリは、金属カバーをさらに含み、前記金属カバーの少なくとも一部は、前記カメラのケーシングの下に設けられ、前記第１の放熱板と伝熱接続するか、または、前記金属カバーが前記カメラのケーシングの一部であることを特徴とする請求項１に記載の放熱アセンブリ。
【請求項６】
前記放熱アセンブリは、第１の熱伝導マットをさらに含み、前記第１の熱伝導マットは、前記第１の放熱板と伝熱接触し、前記第１の熱伝導マットは、前記金属カバーと伝熱接触することを特徴とする請求項５に記載の放熱アセンブリ。
【請求項７】
前記放熱アセンブリは、レンズカバーをさらに含み、前記レンズカバーの少なくとも一部は金属材料製であり、前記金属カバー上には、前記レンズカバーを取り付けるためのレンズカバー取付部が設けられていることを特徴とする請求項５に記載の放熱アセンブリ。
【請求項８】
前記第１の放熱板は、前記レンズカバー取付部の少なくとも一部で周方向に沿って分布していることを特徴とする請求項７に記載の放熱アセンブリ。
【請求項９】
前記レンズカバー取付部は、前記金属カバー上の前記第１の放熱板とは反対の突起部であり、前記突起部にはねじ山が設けられ、前記レンズカバーは、前記ねじ山によって前記金属カバーに接続されることを特徴とする請求項７に記載の放熱アセンブリ。
【請求項１０】
前記レンズカバーは、
内壁が径方向に沿って内向きに延伸して支持部が形成された金属放熱リングと、
前記金属放熱リングの内壁に設けられ、前記支持部に当接する熱伝導リングと、を含み、前記熱伝導リングの内壁は、前記カメラのレンズと接触し係合するために用いられることを特徴とする請求項７に記載の放熱アセンブリ。
【請求項１１】
前記金属放熱リングがベリリウム銅合金放熱リングであることを特徴とする請求項１０に記載の放熱アセンブリ。
【請求項１２】
前記支持部が前記金属放熱リングの内壁の端部に位置することを特徴とする請求項１０に記載の放熱アセンブリ。
【請求項１３】
前記熱伝導リングの一端は前記支持部に当接し、前記熱伝導リングの他端は前記金属放熱リングの端部と面一であることを特徴とする請求項１０に記載の放熱アセンブリ。
【請求項１４】
前記レンズカバーは、前記熱伝導リングの内壁に設けられ、その内壁が前記カメラのレンズとの接触係合に用いられる弾性リングをさらに含むことを特徴とする請求項１０に記載の放熱アセンブリ。
【請求項１５】
前記金属カバー上の前記第１の放熱板とは反対側に放熱器が設けられていることを特徴とする請求項７に記載の放熱アセンブリ。
【請求項１６】
前記第１の放熱板と前記冷却端とが接続する部分は、前記レンズカバー取付部、前記放熱器の少なくともひとつの近くに設けられていることを特徴とする請求項１５に記載の放熱アセンブリ。
【請求項１７】
前記第１の放熱板は、前記冷却端に接続する部分から前記放熱器の長さ方向に延伸し、前記第１の放熱板の延伸部分は、前記金属カバー上の前記放熱器に対応する領域と伝熱接触することを特徴とする請求項１６に記載の放熱アセンブリ。
【請求項１８】
前記放熱器が熱放射型放熱器であることを特徴とする請求項１５に記載の放熱アセンブリ。
【請求項１９】
前記放熱器は、少なくとも一つの放熱フィンを含むことを特徴とする請求項１８に記載の放熱アセンブリ。
【請求項２０】
前記放熱器は、一方向に順次設けられた複数の前記放熱フィンを含むことを特徴とする請求項１９に記載の放熱アセンブリ。
【請求項２１】
前記発熱素子は、前記カメラの結像センサをさらに含み、
前記放熱アセンブリは、前記第１の放熱板とずらして設けられた第２の放熱板をさらに含み、前記第２の放熱板は、前記結像センサとの伝熱接触に用いられ、前記カメラのケーシングとの伝熱接触に用いられ、前記結像センサの熱を前記カメラのケーシングから放出することを特徴とする請求項１〜２０のいずれか一項に記載の放熱アセンブリ。
【請求項２２】
前記第２の放熱板と前記カメラのケーシングの一部は、一体成形された一体部材であることを特徴とする請求項２１に記載の放熱アセンブリ。
【請求項２３】
前記第２の放熱板および第１の放熱板は、それぞれ前記メインチップの対向する両側に位置することを特徴とする請求項２１に記載の放熱アセンブリ。
【請求項２４】
前記放熱アセンブリは、第２の熱伝導マットをさらに含み、前記第２の放熱板は、前記第２の熱伝導マットを介して前記結像センサと伝熱接触することを特徴とする請求項２１に記載の放熱アセンブリ。
【請求項２５】
前記放熱アセンブリは、前記カメラのバッテリーホルダー口を覆う金属バッテリーカバーをさらに含み、前記金属バッテリーカバーは前記カメラのバッテリーに接続され、前記カメラのケーシングの一部を形成し、前記バッテリーの熱を前記カメラのケーシングから放出するため、前記バッテリーの少なくとも一部の表面との伝熱接触に用いられることを特徴とする請求項１〜２４のいずれか一項に記載の放熱アセンブリ。
【請求項２６】
前記バッテリーおよび金属バッテリーカバーは、一体成形された一体部材であることを特徴とする請求項２５に記載の放熱アセンブリ。
【請求項２７】
前記金属バッテリーカバーの外面にプラスチック部材が設けられていることを特徴とする請求項２６に記載の放熱アセンブリ。
【請求項２８】
内部にメインチップが設けられたケーシングと、
前記メインチップを含む発熱素子の放熱に用いられる請求項１〜２７のいずれか一項に記載の放熱アセンブリと、を含むことを特徴とするカメラ。
【請求項２９】
前記カメラの側部には、バッテリーホルダー口が設けられており、前記バッテリーホルダー口は、前記カメラの内部に窪んで、バッテリーを収容するためのバッテリーホルダーが形成されており、前記バッテリーを前記バッテリーホルダーに出し入れする方向は、前記カメラのレンズの光軸方向に垂直であることを特徴とする請求項２８に記載のカメラ。
【請求項３０】
前記カメラの結像センサおよび前記メインチップは、前記バッテリーホルダーの同じ側に位置し、前記結像センサは、メインチップとずらして設けられることを特徴とする請求項２９に記載のカメラ。
【手続補正２】
【補正対象書類名】明細書
【補正対象項目名】００２２
【補正方法】変更
【補正の内容】
【００２２】
ヒートパイプ１３１の蒸発端１３１１および冷却端１３１２は、いずれも第１の放熱板１３２と伝熱接触する。第１の放熱板１３２上であってメインチップ１１と伝熱接触する部分の熱が迅速にヒートパイプ１３１の蒸発端１３１１、冷却端１３１２を経て第１の放熱板１３２上であってメインチップ１１から離れた部分に伝達されてから、第１の放熱板１３２と伝熱接触するアクションカメラ１のケーシング１９を経て放出されるよう、ヒートパイプ１３１の蒸発端１３１１は、第１の放熱板１３２上であってメインチップ１１に対応する部分と伝熱接触してもよい。第１の放熱板１３２の熱がケーシング１９を経てアクションカメラ１の外に放出されるよう、第１の放熱板１３２は、ヒートパイプ１３１から外向きに延伸して、アクションカメラ１のケーシング１９と直接接触するまで延伸してもよい。
【手続補正３】
【補正対象書類名】明細書
【補正対象項目名】００２４
【補正方法】変更
【補正の内容】
【００２４】
ヒートパイプ１３１の蒸発端１３１１および冷却端１３１２をいずれも第１の放熱板１３２と伝熱接続することにより、第１の放熱板１３２上であってメインチップ１１と伝熱接触する部分の一部の熱が迅速にヒートパイプ１３１の蒸発端１３１１、冷却端１３１２を経て第１の放熱板１３２上であってメインチップ１１から離れた部分に伝達され、第１の放熱板１３２上であってメインチップ１１と伝熱接触する部分の他の部分の熱が第１の放熱板１３２自体によってそのメインチップ１１から離れた部分に伝達される。このようにして、メインチップ１１の熱を迅速に放出し、メインチップ１１に対する放熱効果を高めることができる。
【手続補正４】
【補正対象書類名】明細書
【補正対象項目名】００２８
【補正方法】変更
【補正の内容】
【００２８】
この例では、メインチップ１１の一部の熱が、第１の放熱板１３２がメインチップ１１と接触する部分を経てヒートパイプ１３１に伝達され、ヒートパイプ１３１を経て第１の放熱板１３２のメインチップ１１から離れた部分に伝達されることにより、第１の放熱板１３２と伝熱接触するアクションカメラ１のケーシング１９を経て放出される。メインチップ１１の他の部分の熱は、第１の放熱板１３２に直接伝達され、さらに第１の放熱板１３２と伝熱接触するアクションカメラ１のケーシング１９を経て放出される。このように、ヒートパイプ１３１および第１の放熱板１３２は、メインチップ１１に対して、いずれも放熱作用を有し、ヒートパイプ１３１は、第１の放熱板１３２がメインチップ１１と接触する部分の熱を迅速に第１の放熱板１３２のメインチップ１１から離れた部分に導くことにより、メインチップ１１の熱が迅速に放出されるようにし、すなわちメインチップ１１の温度上昇の問題を有効に解決することができ、アクションカメラ１の動作性能の信頼性を保証するのに有利である。
【手続補正５】
【補正対象書類名】明細書
【補正対象項目名】００６４
【補正方法】変更
【補正の内容】
【００６４】
選択可能に、金属カバー１３３上の第１の放熱板１３２とは反対側に放熱器１３３２が設けられ、すなわち、金属カバー１３３の前端に放熱器１３３２が設けられ、アクションカメラ１の放熱効果を高める。放熱器１３３２は、レンズカバー取付部１３３１の近くに設けてもよく、これによって、第１の放熱板１３２およびレンズ１５の熱の一部を迅速に放熱器１３３２によって放出することができる。放熱器１３３２およびレンズカバー取付部１３３１は、ヒートパイプ１３１の冷却端１３１２の近くに設けてもよく、すなわち、放熱器１３３２およびレンズカバー取付部１３３１は、第１の放熱板１３２と冷却端１３１２が接続された部分の近くに設けてもよく、メインチップ１１から第１の放熱板１３２に直接伝導した熱、およびヒートパイプ１３１を経て第１の放熱板１３２に伝導した熱が、レンズカバー取付部１３３１および放熱器１３３２に迅速に伝導できるようにする。例示的に、第１の放熱板１３２と冷却端１３１２とが接続する部分は、第１の放熱板１３２の熱量が迅速に金属カバー１３３を経てアクションカメラ１の外に放出することに有利なように、金属カバー１３３の縁の近くに設けてもよい。それに対応して、放熱器１３３２およびレンズカバー取付部１３３１を金属カバー１３３の縁の近くに設けてもよい。
【国際調査報告】
2021525008.tif 000011
2021525008.tif 000012
2021525008.tif 000013
2021525008.tif 000014